(57)【要約】【課題】ヘッドレスト本体と椅子の背凭れ部の上端部との間に隙間を形成させないようにして、見栄えの良いヘッドレスト装置を備える椅子を提供するとともに、ヘッドレスト本体に発生するねじれ等を防止できるヘッドレスト装置を備える椅子を提供する。【解決手段】背凭れ１０と、背凭れ１０に支持された、背凭れ１０に固定的に支持された支持部材４９及び該支持部材４９に対して上下位置調整可能に支持されてなるヘッドレスト本体４１を有するヘッドレスト装置４０と、を備える椅子１において、支持部材４９は、少なくともヘッドレスト本体４１の内部空間内に延びる所定の幅を有するプレート状の延設部材４６を支持しており、ヘッドレスト本体４１がプレート状の延設部材４６に対して上下方向に移動可能になっている。【選択図】図８
2014090865.tif 000002
【特許請求の範囲】
【請求項１】
背凭れと、該背凭れに支持された、前記背凭れに固定的に支持された支持部材及び該支持部材に対して上下位置調整可能に支持されてなるヘッドレスト本体を有するヘッドレスト装置と、を備える椅子において、
前記支持部材は、少なくとも前記ヘッドレスト本体の内部空間内に延びる所定の幅を有するプレート状の延設部材を支持しており、前記ヘッドレスト本体が前記プレート状の延設部材に対して上下方向に移動可能になっていることを特徴とする椅子。
【請求項２】
前記支持部材が、前記背凭れの背面に固定的に支持される固定部と、該固定部の上側に設けられると共に背凭れの上縁の上方に位置して前記延設部材を支持する支持部と、を有しており、前記支持部材と前記延設部材との左右幅がほぼ同等に形成されていることを特徴とする請求項１に記載の椅子。
【請求項３】
前記ヘッドレスト本体が、着座者の頭部を支持する枕部と、該枕部を支持する主板と、該主板に設けられた左右一対のガイド部材と、を備え、前記左右一対のガイド部材が前記プレート状の延設部材により上下方向にガイドされ移動可能になっていることを特徴とする請求項１または２に記載の椅子。
【請求項４】
前記枕部を支持する主板や前記左右一対のガイド部材が内装される前記ヘッドレスト本体の下方端には、前記プレート状の延設部材により上下方向にガイドされる開口を有する封止部材が固定されていることを特徴とする請求項３に記載の椅子。
【請求項５】
前記プレート状の延設部材には上下方向に延びる所定長の溝または穴が形成され、前記封止部材には前記上下方向の溝または穴内に延びる案内ピンが設けられていることを特徴とする請求項４に記載の椅子。
【請求項６】
前記プレート状の延設部材の上下方向の長さは、少なくとも前記主板の上下長よりも短く形成され、前記ヘッドレスト本体の上部位置に前記プレート状の延設部材の存在しない変形許容空間を配置できるようになっていることを特徴とする請求項３ないし５のいずれかに記載の椅子。
【発明の詳細な説明】
【技術分野】
【０００１】
本発明は、背凭れにヘッドレスト装置を備える椅子に関する。
【背景技術】
【０００２】
背凭れにヘッドレスト装置を備える椅子として、例えば、下記の特許文献１〜３に開示されるものが公知である。これらの特許文献に開示される椅子では、ヘッドレスト装置が、椅子の背凭れに固定的に支持された支持部材と、支持部材に対して上下位置を調整可能にされたヘッドレスト本体とを備えており、着座している利用者が自己の最適な上下位置にヘッドレスト本体を移動調整できるようになっているため、利用者の種々の作業形態に合わせてヘッドレストを最適な状態に調節でき、非常に利便性が高いものである。
【先行技術文献】
【特許文献】
【０００３】
【特許文献１】特許第４２７８７９３号公報
【特許文献２】欧州特許１１８６２５７号公報
【特許文献３】特開２００３−０７９４７４号公報
【発明の概要】
【発明が解決しようとする課題】
【０００４】
しかしながら、特許文献１や特許文献２にあっては、背凭れの上端とヘッドレストの下端との間や、Nutensteinとseitliche Fuhrungsnuの下端上面との間に隙間が形成されており、椅子の着座者等の手指が挟まれる虞がある。このような虞を回避するために、例えば特許文献３に開示される椅子のように、ヘッドレスト本体が２本のヘッドレスト支柱に対して昇降可能な枕体などからなり、この枕体をヘッドレスト支柱に案内させながら上方に移動可能にすることで、ヘッドレスト本体の枕体と、椅子の背凭れ部の上端部との間の隙間が大きく形成されるようにするといったことがある。ところが、この隙間が大きい場合、着座者の背中や首の部分が後方から見えてしまい、後方からの椅子の美観が損なわれるばかりか、２本のヘッドレスト支柱の強度が不足する場合は、利用時において着座者の頭の動きでヘッドレスト本体にねじれ等が発生し、利用者に対して不快感を与える原因になっていた。
【０００５】
本願発明は、ヘッドレスト本体と椅子の背凭れ部の上端部との間に隙間を形成させないようにして、見栄えの良いヘッドレスト装置を備える椅子を提供するとともに、ヘッドレスト本体に発生するねじれ等を防止できるヘッドレスト装置を備える椅子を提供することを目的とする。
【課題を解決するための手段】
【０００６】
前記課題を解決するために、本発明の椅子は、
背凭れと、該背凭れに支持された、前記背凭れに固定的に支持された支持部材及び該支持部材に対して上下位置調整可能に支持されてなるヘッドレスト本体を有するヘッドレスト装置と、を備える椅子において、
前記支持部材は、少なくとも前記ヘッドレスト本体の内部空間内に延びる所定の幅を有するプレート状の延設部材を支持しており、前記ヘッドレスト本体が前記プレート状の延設部材に対して上下方向に移動可能になっていることを特徴としている。
この特徴によれば、ヘッドレスト本体を上方向に移動させた場合でも、所定の幅を有するプレート状の延設部材が、ヘッドレスト本体と椅子の背凭れの上端部との間に介在することになり、その間の隙間が常時塞がれることになる。したがって、ヘッドレスト本体と椅子の背凭れの上端部との間に隙間が形成されないため、見栄えの良いヘッドレスト装置を備える椅子となるばかりか、所定の幅を有するプレート状の延設部材でヘッドレスト本体を支持することで、ヘッドレスト本体に発生するねじれ等を防止できることになる。また、延設部材が形成されている範囲において、着座者等の手指が挟まれる虞を低減することができる。
【０００７】
本発明の椅子は、
前記支持部材が、前記背凭れの背面に固定的に支持される固定部と、該固定部の上側に設けられると共に背凭れの上縁の上方に位置して前記延設部材を支持する支持部と、を有しており、前記支持部材と前記延設部材との左右幅がほぼ等しく形成されていることを特徴としている。
この特徴によれば、支持部材が、背凭れの背面に固定的に支持されるとともに、固定部の上側でかつ背凭れの上縁の上方の位置で延設部材を支持する構造になるので、着座者の頭部によりヘッドレスト本体に加えられた前上方から後下方に向けて作用する力を、背凭れにより確実に支持することができる。なおかつ、支持部材と延設部材との左右幅がほぼ等しく形成されることで、延設部材の支持部の左右両側においては、ヘッドレスト本体と背凭れとの間に所定の空間が確保されることになるので、着座者等の手指が挟まれる虞を低減することができる。
【０００８】
本発明の椅子は、
前記ヘッドレスト本体が、着座者の頭部を支持する枕部と、該枕部を支持する主板と、該主板に設けられた左右一対のガイド部材と、を備え、前記左右一対のガイド部材が前記プレート状の延設部材により上下方向にガイドされ移動可能になっていることを特徴としている。
この特徴によれば、枕部を支持する主板に対して左右一対のガイド部材が固定され、この左右一対のガイド部材とプレート状の延設部材とが上下方向に正確、かつ確実に支持されながら相対移動されるため、ヘッドレスト本体に発生するねじれ等をより確実に防止できることになる。
【０００９】
本発明の椅子は、
前記枕部を支持する主板や前記左右一対のガイド部材が内装される前記ヘッドレスト本体の下方端には、前記プレート状の延設部材により上下方向にガイドされる開口を有する封止部材が固定されていることを特徴としている。
この特徴によれば、ヘッドレスト本体とプレート状の延設部材との前後方向の移動を確実に規制できるばかりか、ヘッドレスト本体内への埃やゴミなどの侵入を確実に防止できることになる。さらに、封止部材により、クッション材を被覆する張材の末端等を遮蔽することができるので、ヘッドレスト本体の美観を向上できる。
【００１０】
本発明の椅子は、
前記プレート状の延設部材には上下方向に延びる所定長の溝または穴が形成され、前記封止部材には前記上下方向の溝または穴内に延びる案内ピンが設けられていることを特徴としている。
この特徴によれば、溝または穴と案内ピンとの係合を伴いながら、プレート状の延設部材とヘッドレスト本体とが左右方向に正確、かつ確実に支持されながら上下方向に相対移動されることになる。
【００１１】
本発明の椅子は、
前記プレート状の延設部材の上下方向の長さは、少なくとも前記主板の上下長よりも短く形成され、前記ヘッドレスト本体の上部位置に前記プレート状の延設部材の存在しない変形許容空間を配置できるようになっていることを特徴としている。
この特徴によれば、着座者の頭部を支持するヘッドレスト本体の上部位置に、プレート状の延設部材を位置させない変形許容空間を確保できることとなり、この空間を利用して、着座者の頭部を適切に保護できることになる。
【図面の簡単な説明】
【００１２】
【図１】実施例における椅子を示す正面図である。
【図２】椅子を示す側面図である。
【図３】（ａ）は、ヘッドレスト装置を示す正面図であり、（ｂ）は、同じく背面図である。
【図４】ヘッドレスト装置の構成部材を示す正面側斜視図である。
【図５】（ａ）は、クッション部材を示す正面側斜視図であり、（ｂ）は、主板を示す正面側斜視図であり、（ｃ）は、背面カバーを示す正面側斜視図である。
【図６】（ａ）は、延設部材および掛止具を示す正面側斜視図であり、（ｂ）は、ガイド部材を示す正面側斜視図である。
【図７】（ａ）は、封止部材を示す正面側斜視図であり、（ｂ）は、支持部材を示す正面側斜視図であり、（ｃ）は、正面カバーを示す正面側斜視図である。
【図８】（ａ）は、図３におけるＡ−Ａ端面図であり、（ｂ）は、同じくＢ−Ｂ端面図であり、（ｃ）は、同じくＣ−Ｃ端面図である。
【図９】（ａ）は、図３におけるＤ−Ｄ端面図であり、（ｂ）は、同じくＥ−Ｅ端面図であり、（ｃ）は、同じくＦ−Ｆ端面図である。
【図１０】（ａ）は、摩擦力付与部材および被摩擦力付与部材を示す斜視図であり、（ｂ）は、摩擦力付与部材と延設部材との嵌合の態様を示す側断面図である。
【図１１】図３におけるＧ−Ｇ端面図である。
【図１２】（ａ）は、ヘッドレスト本体の回動および上下移動の態様を示す側端面図であり、（ｂ）は、延設部材に対する封止部材の上下移動の態様を示す正面側斜視図である。
【図１３】ヘッドレスト装置の内部構造を示す一部断面の正面側斜視図である。
【図１４】ヘッドレスト装置の背凭れフレームへの取付態様を示す背面側斜視図である。
【発明を実施するための形態】
【００１３】
本発明に係る椅子を実施するための形態を実施例に基づいて以下に説明する。
【実施例】
【００１４】
実施例に係る椅子につき、図１から図１４を参照して説明する。先ず、図１の符号１は、本発明の適用された椅子である。椅子１は、先端部にキャスタ２を備えた５本の脚杆３が放射状に配置された脚体４と、脚体４の中央に立設された伸縮自在な脚柱５と、脚柱５の上端に固着された支基６と、支基６の上方に配置された座７と、前後方向に回動可能に支基６の左右両側に枢着された２本の背凭れ支持杆９、９と、背凭れ支持杆９、９の後上部に支持された背凭れ１０と、背凭れ１０の背面上部に取り付けられたヘッドレスト装置４０とを備えている。
【００１５】
図１および図２に示すように、支基６は、前後方向に長い箱状をなし、後端部が脚柱５に固着されている。支基６の内部には、座７の上面を前方に向けて常時付勢する圧縮コイルバネ（図示略）と、この圧縮コイルバネの付勢力を調節する調節手段（図示略）とが収容されている。
【００１６】
また、座７は、上面および側周面がクッション材１６で覆われた合成樹脂製の座板（図示略）が、上面視で略方形の枠状をなす座フレーム１５に取り付けられてなる。そして、座フレーム１５の前部および後部には、上面視で角環状をなす支持環１７の前部および後部がそれぞれ固着されている。この支持環１７は、正面視で左右両側部が外上向きに傾斜されるとともに、側面視で前後両側部が外下向きに傾斜されており、支持環１７の左右両側部は、図２に示すように、背凭れ支持杆９の前側に設けられた座支持部３０に回動可能に連結されている。また、支持環１７の前部は、支基６に設けられた圧縮コイルバネにより前方に向けて付勢されている。
【００１７】
これにより、着座者によって背凭れ１０が後方に傾斜されると、背凭れ支持杆９が後下方に傾斜されて、座７の後部が後下方へ移動される。この座７の後部の移動に伴って、支持環１７が圧縮コイルバネの付勢力に抗して後下方に摺動される一方で、座７の前部が後下方に移動されることになる。そして、圧縮コイルバネの付勢力より、背凭れ１０では前方への復帰回動力が生じ、座７では前上方への復帰力が生じて、着座者にとっての座り心地が向上する。
【００１８】
なお、背凭れ１０と支基６とをガススプリング（図示略）を介して連結して、ガススプリングで背凭れ１０を常時前向きに付勢するようにしてもよい。これにより、ガススプリングによる背凭れ１０の復帰回動力や座７の復帰力が生じて、更に座り心地を向上させることができる。
【００１９】
次いで、背凭れ支持杆９は、図２に示すように、前後方向に延設され後方側が上方に湾曲されている。そして、背凭れ支持杆９の前端部は、左右方向に延びる回動軸８を介して支基６の側方に取り付けられている。これにより、背凭れ支持杆９は、回動軸８を中心軸として上下方向に回動可能になっている。
【００２０】
また、背凭れ支持杆９は、回動軸８よりも若干後方に、背凭れ支持杆９の側方から上方に向けて突出された略三角形状の座支持部３０を有している。この座支持部３０には、支持環１７の左右両側部が、左右方向に延びる回動軸３１を介して取り付けられている。そして、背凭れ支持杆９の後端部には、後述する背凭れフレーム１８の下部の係合凹部（図示略）に係合可能な凸状の係合凸部（図示略）と、上下方向に貫通する貫通孔が（図示略）形成されている。
【００２１】
なお、背凭れ支持杆９は、座支持部３０よりも後方の外側面に、略方形をなし内方に窪むオプション支持部３２を有している。このオプション支持部３２には、椅子１のオプションとしての肘掛やメモ台等を支持するオプション支持杆（いずれも図示略）を取り付けることができる。
【００２２】
背凭れ１０は、図１に示すように、略方形の硬質合成樹脂製の枠状体からなる背凭れフレーム１８に、メッシュ材からなる張材１９が張設されてなる。この枠状体は、正面視で下側が漸次若干狭幅となる開口面１２を有しており、略方形に加工されたメッシュ材が、上下左右に緊張された状態で開口面１２の正面側から張設されている。なお、張材１９を、メッシュ材以外の材質、例えば、織布、帆布等としてもよい。また、張材１９に替えて、板状体により背面側が支持されたクッション材等を背凭れフレーム１８の中央に配置するようにしてもよい。
【００２３】
また、背凭れフレーム１８は、上下方向に延設された左右一対の横側フレーム２０、２０と、横側フレーム２０、２０の上端部同士を連結するように左右方向に延設された上側フレーム２１と、横側フレーム２０、２０の下端部同士を連結するように左右方向に延設された下側フレーム２２とからなる（図２参照）。
【００２４】
そして、下側フレーム２２は、上面視で左右方向の中央が最も後方に突出されるように緩やかに湾曲された形状をなしている。この下側フレーム２２の下部の左右側には、背凭れ支持杆９の係合凸部（図示略）に係合される凹状の係合凹部（図示略）と、下側フレーム２２の内方に向けて延設された貫通孔（図示略）とが、係合凸部および貫通孔に対応する所定位置に設けられている。この係合凸部と係合凹部との凹凸係合と、貫通孔に挿入される締結具（図示略）とにより、背凭れフレーム１８と背凭れ支持杆９とが強固に固定されるようになっている。
【００２５】
また、上側フレーム２１は、上面視で左右方向の中央が最も後下方に突出されるように緩やかに湾曲された形状をなしている。この上側フレーム２１の背面側の中央部には、図１４に示すように、左右方向に延設された略台形状をなし前方側に向けて窪む凹状の嵌合凹部１３が形成されている。この嵌合凹部１３は、後述するヘッドレスト装置４０の凸状の嵌合凸部９５を内側に嵌合可能になっている。さらに、嵌合凹部１３には、上側フレーム２１の内方に貫通される挿通孔２５が左右に２つずつ形成されている。これらの嵌合凹部１３と挿通孔２５とを用いて、図１および図２に示すように、本発明に係るヘッドレスト装置４０が上側フレーム２１に固定されている。
【００２６】
次に、本発明に係るヘッドレスト装置４０について図３から図１４に基づいて説明する。以下、図８については、紙面左方を椅子１の正面側として、図９については、紙面上方を椅子１の正面側として説明する。なお、図９は、下方端面図である。
【００２７】
図３に示すように、ヘッドレスト装置４０は、着座者の頭部を後方から支持するヘッドレスト本体４１と、ヘッドレスト本体４１を支持し背凭れ１０に取り付けられる取付部４２と、取付部４２にヘッドレスト本体４１を回動可能に支持する支持部としての回動軸部１１２とからなる。
【００２８】
そして、図４に示すように、ヘッドレスト本体４１は、着座者の頭部を保護するクッション部材４３と、クッション部材４３を後方から支持する主板４４と、主板４４の背面を覆う背面カバー部材４５と、主板４４を取付部４２に支持する延設部材４６と、主板４４に固定されるとともに延設部材４６を昇降自在に保持するガイド部材４７と、主板４４の下面を覆う封止部材４８とからなる。
【００２９】
一方で、取付部４２は、ヘッドレスト本体４１の延設部材４６を前後方向に回動可能に支持するとともに背凭れ１０に取り付けられる支持部材４９に設けられている。また、回動軸部１１２は、支持部材４９の上側に設けられており、支持部材４９に対して延設部材４６を相対回動可能にするとともに所定角度に固定可能にする摩擦力付与部材５０および被摩擦力付与部材５１と、摩擦力付与部材５０および被摩擦力付与部材５１を介して支持部材４９と延設部材４６とを連結する連結ボルト８２とを備えている。
【００３０】
次いで、ヘッドレスト本体４１に関する部材について図５ないし図７に基づいて説明する。ヘッドレスト本体４１のクッション部材４３は、図３に示すように、正面視で下方に向かって漸次若干幅広となる略方形をなしている。また、図８に示すように、クッション部材４３は、側断面視で上下方向の中央が最も前方に突出されるように緩やかに湾曲されるとともに、この湾曲よりも大きな曲率で上端部が後方に屈曲された形状をなしている。さらに、図９に示すように、クッション部材４３は、上断面視で左右方向の中央が最も後方に窪むように緩やかに湾曲されるとともに、この湾曲よりも大きな曲率で左右両端部が後方に屈曲された形状をなしている。そして、クッション部材４３が、本発明の枕部を構成する。
【００３１】
また、クッション部材４３は、全体がクロスで覆われた弾性材であるクッション材からなっており、後述する主板４４を上方および側方から覆うようになっている。そして、クッション部材４３の上部には、他の部位に比べて厚くクッション材が配置されている。これにより、枕部は、着座者の頭部を弾性的に支持できるようになる。
【００３２】
これらにより、着座者の頭部がヘッドレスト本体４１に前方や前上方から当接した際に、クッション部材４３により当接の衝撃が吸収され、頭部が支持および保護されるようになっている。
【００３３】
次いで、主板４４は、図５に示すように、クッション部材４３とほぼ同様の外形をなしており、正面視で下方に向かって漸次若干幅広となる略方形をなす薄い板状体からなる。また、図８および図９に示すように、主板４４は、側面視で上下方向の中央が最も前方に突出されるように緩やかに湾曲された形状をなしつつ、上面視で左右方向の中央が最も後方に窪むように緩やかに湾曲された形状をなしている。さらに、主板４４は、クッション部材４３に覆われるように、クッション部材４３よりも上下幅および左右幅が若干狭く形成されている。
【００３４】
そして、主板４４の正面側の下部には、前方に突出され左右方向に延設された厚い板状の前向部５３が設けられている。また、この前向部５３には、上下方向に貫通し左右方向に延設されたスリット状の貫通口部５４が形成されている。さらに、前向部５３の下面の左右両側には、ネジ孔５５、５５が設けられている。
【００３５】
また、主板４４の外周縁には、左右方向および左右方向の主板４４全体としての湾曲の曲率よりも大きな曲率で前方に屈曲された屈曲部５６が形成されている。さらに、主板４４の薄い板状部分には、前方に突出された線状の突条５７が、左右方向や上下方向、斜め方向にそれぞれ複数本形成されている。これらにより、主板４４は、前後方向や左右方向、上下方向からの応力に対する強度が高められ、着座者の頭部がヘッドレスト本体４１に当接した際の衝撃に耐えつつ、前方のクッション部材４３を支持することができる。
【００３６】
また、主板４４の所定の突条５８は、図８（ｂ）および図９（ｂ）に示すように、突条５８の正面が延設部材４６の背面に当接するように、中央付近から下方にかけての部分が上方部分に比べて前後方向の幅が広く形成されている。これらの突条５８を用いて、主板４４が延設部材４６を後方から支持するようになっている。これにより、主板４４と延設部材４６との接触面積が低減されるので、後述するように着座者等によりヘッドレスト本体４１の高さ調整がなされる際に、主板４４と延設部材４６との摺動抵抗が低減されて、着座者が高さ調整を容易に行えるようになっている。
【００３７】
さらに、主板４４の四隅には、ガイド部材４７を主板４４に固定するためのネジ孔５９が設けられている。また、主板４４の背面は、主板４４とほぼ同形状に形成された背面カバー部材４５よって覆われるようになっている。
【００３８】
次いで、延設部材４６は、図６（ａ）に示すように、前後方向に湾曲された板状体の下部に左右方向を向く筒状体が連続して形成された形状を有している。また、延設部材４６の板状体部分は、図８および図９（ｂ）に示すように、側断面視で主板４４の正面に沿うように前方に湾曲するとともに、上断面視で主板４４の正面に沿うように後方に湾曲する形状をなしている。この延設部材４７と支持部材４６とは、左右の幅がほぼ同一となるように形成されている。なお、この延設部材４６の左右方向の幅は、ヘッドレスト本体４１をねじれ等が生じることなく支持するのに十分となる所定の幅以上に形成されていればよい。
【００３９】
また、図６（ａ）に示すように、延設部材４６の板状体の上部の中央には、左右方向に幅広で下方に向けて大きく切り欠かれた大切欠部６０が形成されている。この大切欠部６０が設けられていることで、延設部材４６の中央部の上下方向長さは、主板４４の上下方向長さよりも短く形成されている。これにより、この延設部材４６を備えたヘッドレスト装置４０は、ヘッドレスト本体４１の上部中央位置に延設部材４６の存在しない空間Ｖが確保されることになる（図１３参照）。
【００４０】
この空間Ｖでは、延設部材４６の前方に配置されるクッション部材４３が延設部材４６により後方から支持されることがない。そして、空間Ｖは、着座者の頭部等がヘッドレスト本体４１に当接した際には、クッション部材４３が変形するための変形許容空間として機能することになる。空間Ｖに、弾性材としてのクッション部材４３が配置されることにより、着座者の頭部が適切に保護される。また、図１２（ａ）に示すように、ヘッドレスト本体４１が引き上げられると、延設部材４６の上方に空間Ｓが生じて、変形許容空間は更に広がり、着座者の頭部が当接した際の衝撃が良好に吸収される。
【００４１】
そして、板状体の正面側の中央部には、左右方向に幅広な凹状の幅広溝部６１が上下方向に延設されている。この幅広溝部６１の中央には、前後方向に連通するとともに、上下方向に延びる所定長の穴であるスリット孔６２が形成されている。このスリット孔６２には、後述する案内ピン６３を挿通可能になっている。なお、本実施例のスリット孔６２に替えて、幅広溝部６１の中央に、上下方向に延びる所定長の溝を形成し、当該溝に沿って案内ピンを移動可能に嵌合してもよい。
【００４２】
また、このスリット孔６２の上下方向長さは、スリット孔６２と案内ピン６３との係合を伴いながら、ヘッドレスト本体４１と取付部４２とが相対移動される際に、つまり、着座者等によりヘッドレスト装置４０の高さ調整がなされる際に、着座者等が快適な高さにヘッドレスト装置４０を調整できるように所定長さに形成されている。
【００４３】
また、幅広溝部６１の左右両側には、幅広溝部６１よりも左右方向の幅が狭く、上下方向に延設された幅狭溝部６４が左右方向に並んで複数本形成されている。そして、板状体の背面側には、正面側と同様の幅狭溝部６５が、板状体の前後方向の厚みが左右方向でほぼ均等になるように、正面側の幅狭溝部６４同士の間に複数本形成されている（図９（ｂ）参照）。板状体の前後方向の厚みを左右方向でほぼ均一にすることで、ヘッドレスト装置４０に、着座者等の頭部が当接した際の衝撃が板状体の一部に集中することが防止される。
【００４４】
さらに、大切欠部６０の左右両側の板状体の正面側には、後方に向けて窪む略方形の方形凹部６６が形成されている。そして、方形凹部６６の上側および下側の内周壁部分は、それぞれ後方に連通された連通口６７、６７になっている。この連通口６７には、後述するガイド部材４７の波状溝部６８に掛合される掛止具６９の裾部７０が挿入される（図８（ｃ）参照）。
【００４５】
掛止具６９は、図６（ａ）に示すように、上下方向に延設された帯状体からなる。そして、掛止具６９の上下方向の中央部分には、側断面視で前方に突出する略Ｕ状をなし、後述するようにガイド部材４７の波状溝部６８に掛合される掛合部７１が形成されている（図８（ｃ）参照）。また、掛合部７１の上下側にはそれぞれ上下方向に延びる裾部７０が設けられている。この裾部７０は、延設部材４６の連通口６７、６７に挿入可能になっている。さらに、この掛止具６９は、鉄等の金属板からなり、前後方向に可撓性を有している。なお、掛止具６９は、前後方向に可撓性を有している限り、例えば合成樹脂製等であっても構わない。
【００４６】
一方で、板状体の下部に設けられた筒状体は、左右方向の中央部分の外径が両側の外径に比べて漸次大となるように形成されている。そして、この筒状体の左右両側には、上方に向けて板状体まで切り欠かれた切欠部７２、７２が設けられている。この切欠部７２、７２には、後述する支持部材４９の取付筒状部７３が嵌め込まれるようになっている。
【００４７】
そして、切欠部７２、７２の内方における筒状体の下方面には、上方に向けて窪むとともに比較的幅広に形成された幅広凹部７４が、筒状体の周方向にそれぞれ延設されている。この幅広凹部７４には、後述する支持部材４９の突出面部７５が、周方向に摺動可能に嵌め込まれるようになっている。
【００４８】
さらに、筒状体の左右方向の中央部分には、背面側の内周面が露出されるように正面側が開放された開放部７６が形成されている。そして、残された筒状体の背面側の壁面の下端には、筒状体の周方向かつ後方に向けて凹状に切り欠かれた切欠凹部７７が、左右方向に所定距離離間されて複数個（本実施例では１１個）設けられている。この切欠凹部７７は、後述する支持部材４９の幅狭突起部７８が当接されるようになっている。
【００４９】
なお、切欠凹部７７および幅狭突起部７８の幅や個数、離間距離等は、ヘッドレスト装置４０のヘッドレスト本体４１に着座者の頭部が当接した際に加わる荷重に、切欠凹部７７および幅狭突起部７８が耐えうる範囲内で適宜変更されても構わない。
【００５０】
また、切欠部７２と開放部７６との間の筒状体の内部には、図９（ｃ）に示すように、筒状体と同軸線を有する大径挿入孔７９と小径挿入孔８０が穿設されている。そして、小径挿入孔８０の内周壁面には、図１０（ｂ）に示すように、周方向に１２０度離間されて、左右方向に延設された外径方向に窪む支持凹溝８１が３本形成されている。
【００５１】
そして、この筒状体の内部には、後述する摩擦力付与部材５０および連結ボルト８２を挿入可能であるとともに、支持凹溝８１には、摩擦力付与部材５０の突条片８３を嵌合可能になっている。
【００５２】
また、筒状体における切欠部７２、７２の外側、すなわち延設部材４６の左右両端は、左右方向に連通し後述する連結ボルト８２が挿入される挿入孔１１３が設けられており、回動軸部１１２に枢着される枢着部１１１となっている。
【００５３】
次いで、ガイド部材４７は、図６（ｂ）に示すように、左右で対をなす左片ガイド部材４７Ｌと右片ガイド部材４７Ｒとからなる。これら両片ガイド部材４７Ｌ、４７Ｒは、図８（ｃ）に示すように、側断面視では、主板４４に沿った緩やかな湾曲形状をなしている。また、両片ガイド部材４７Ｌ、４７Ｒの対向面には、上端側が有端状で、下端側が各ガイド部材４７Ｌ、４７Ｒの各下面に開放された無端状をなすスリット状のガイド孔８４Ｌ、８４Ｒがそれぞれ設けられており、両片ガイド部材４７Ｌ、４７Ｒは、上断面視で、開口部分が対向する内向き略コ字状をなしている。これらのガイド孔８４Ｌ、８４Ｒは、延設部材４６の左右側部が挿入可能になっている（図９（ａ）、（ｂ）および図１３参照）。
【００５４】
そして、図８（ｃ）に示すように、ガイド孔８４Ｌ、８４Ｒの正面側の内壁面には、側断面視で上下方向に波状をなす波状溝部６８が形成されている。この波状溝部６８の波間部分には、掛止具６９の掛合部７１が掛合されるようになっている。また、ガイド部材４７Ｌ、４７Ｒの外側の上下両端部分には、前後方向に連通する連通孔８５、８５が主板４４のネジ孔５９、５９に対応するように設けられている。
【００５５】
なお、本実施例では、ガイド部材４７Ｌ、４７Ｒの正面側の外壁面は、主板４４に沿って湾曲する略平面状に形成されているが、ガイド部材の正面側の外壁の厚みが上下方向で一様になるように、外壁面を内壁面と同様の波状に形成してもよい。これにより、ガイド部材を合成樹脂等で成形する工程において、ガイド部材を型枠から外し易くすることができ、ヘッドレスト装置の製造効率を向上できる。
【００５６】
更になお、着座者等がヘッドレスト装置４０の高さを調整する際に、着座者等に適度な節度感が付与されるように、波状溝部６８を略正弦波状にしているが、掛合部を掛合可能である限り、例えば、略三角波状や略方形波状としてもよい。これにより、着座者等により鋭敏な節度感を与えることができる。
【００５７】
次いで、封止部材４８は、図７（ａ）に示すように、上下方向に連通し左右方向に延びるスリット状の下側開口部８６を有する矩形筒状体からなる。この矩形筒状体の下部には、左右方向に延設され左右両端側が上内方に向けて屈曲された板状の鍔部８７が設けられている。そして、矩形筒状体は、主板４４の貫通口部５４の内周壁よりも高さが低く形成されており、貫通口部５４内に内嵌される内嵌部１１４となっている。また、鍔部８７は、主板４４の下面を覆うようになっている。
【００５８】
さらに、矩形筒状体の正面側および背面側の壁面の中央部には、前後方向に連通された係止孔８８が、延設部材４６のスリット孔６２の左右位置と対応するように設けられている。また、この係止孔８８には、後述する案内ピン６３を係止可能になっている。
【００５９】
また、封止部材４８をなす矩形筒状体の外周壁には、上下方向に延設された線状の突条９０が周方向に複数本形成されている。これにより、下側開口部８６の上下方向および前後方向の強度が高められるので、ヘッドレスト本体４１に着座者の頭部等が当接される等の荷重が加えられた場合でも、下側開口部８６が変形されることがなく、係止孔８８から案内ピン６３外れることが防止される。
【００６０】
そして、矩形筒状体の下側開口部８６の左右両側には、上下方向に連通されたネジ孔８９、８９が設けられている。このネジ孔８９、８９は、封止部材４８を主板４４に固定する際に用いられる。
【００６１】
また、矩形筒状体の鍔部８７が主板４４の下面を覆うようになっていることで、封止部材４８が主板４４に取り付けられた後に、封止部材４８と主板４４とが相互にずれることが防止される。
【００６２】
次に、取付部４２に関する部材について説明する。取付部４２を備える支持部材４９は、図３に示すように、正面視で下側幅が上側幅に比べて漸次小となる略台形状体からなる。この略台形状体の上面の左右両側には、図７（ｂ）に示すように、左右方向を向く筒状をなす取付筒状部７３、７３が延設部材４６の切欠部７２、７２に対応する位置に設けられている。この取付筒状部７３、７３は、延設部材４６の筒状体と連続するような形状をなしており、左右方向の外側の外径に比べて内側の外径が漸次大となるように形成されている。そして、取付筒状部７３、７３は、切欠部７２、７２に遊嵌されるようになっている。
【００６３】
また、取付筒状部７３、７３同士の間における支持部材４９の上面には、取付筒状部７３の外周面に沿って連設された略円弧状の上向面を有し、上方に向けて突出された突出面部７５、７５が形成されている。この突出面部７５、７５は、延設部材４６の幅広凹部７４、７４に嵌め込まれて、各上向面が幅広凹部７４の各内面に摺接可能になっている。
【００６４】
また、突出面部７５、７５同士の間の支持部材４９の上面には、前上方向きに突出され左右方向に幅狭に形成された幅狭突起部７８が、延設部材４６の切欠凹部７７と対応するように左右方向に所定距離離間されて複数個（本実施例では１１個）設けられている。
【００６５】
また、図９（ｃ）に示すように、取付筒状部７３の内周面は、取付筒状部７３と同軸線を有する大径挿入孔９２と小径挿入孔９３が穿設されている。そして、小径挿入孔９３の内壁面には、外径方向に窪み、左右方向に延設された取付凹溝（図示略）が形成されている。この取付筒状部７３の内部には、後述する被摩擦力付与部材５１および連結ボルト８２を挿入可能であるとともに、取付凹溝には、後述する被摩擦力付与部材５１の突出部９４を内嵌可能になっている。
【００６６】
さらに、図７（ｂ）に示すように、支持部材４９の正面側には、左右方向に延設され略台形状をなし前方に向けて突出され凸状の嵌合凸部９５が形成されている。この凸状の嵌合凸部９５は、背凭れフレーム１８の背面上部に設けられた凹状の嵌合凹部１３に内嵌されるようになっている。また、支持部材４９の略台形状体の正面側の壁面は、背凭れフレーム１８の嵌合凹部１３の周囲の壁面に隙間なく密接されるように、背凭れフレーム１８に合わせて形成されている。また、嵌合凸部９５には、背凭れ１０の嵌合凹部１３の挿通孔２５と対応する共通位置に、前後方向に貫通する挿通孔９６が設けられている。
【００６７】
これらの嵌合凸部９５および略台形状体の正面側壁面により、本発明の固定部としての取付部４２が構成され、この取付部４２を用いてヘッドレスト装置４０が背凭れに固定される。また、支持部材４９の背面側には、背凭れ１０の嵌合凹部１３と同様の略台形状をなし前方に向けて窪む凹状の嵌合凹部９７が設けられている（図１４参照）。
【００６８】
次いで、カバー部材５２は、図７（ｃ）に示すように、前方に突出するように略半円弧状をなす左右方向に横長の板状体からなる。この板状体の下端部には、取付部４２の幅狭突起部７８と対応するように所定距離離間されて周方向前方に向けた切り欠きが複数個（本実施例では１１個）形成されている。
【００６９】
また、図１１に示すように、板状体の背面側には、側断面視で円弧の中心方向に突出され２本で対をなす係合片９８、９８が設けられている。これらの係合片９８、９８の先端部は、２本の先端部が合わさって略Ｃ字型をなすように円弧状に形成されている。この一対の係合片９８、９８により、カバー部材５２は、後述する連結ボルト８２を挟持可能になっている。
【００７０】
次いで、摩擦力付与部材５０および被摩擦力付与部材５１について図１０に基づいて説明する。
【００７１】
被摩擦力付与部材５１は、図１０（ａ）に示すように、左右方向に延びる円筒状の円筒部９９を有する円筒体からなり、この円筒体の一端側には、端部から離れるほど外径が漸次大となるテーパ面を有する円錐鍔部１００が設けられている。また、円筒部９９の外周面の一部には、外径方向に突出する突出部９４が円錐鍔部１００から連設されている。そして、この円筒体は、硬質の合成樹脂（例えばポリアセタール樹脂）により一体的に成形されている。
【００７２】
また、この被摩擦力付与部材５１は、支持部材４９の取付筒状部７３、７３に形成された取付凹溝に突出部９４が嵌合されることで、支持部材４９に対して相対回転不能に取り付けられる。
【００７３】
一方、摩擦力付与部材５０は、左右方向に延びる長寸小径の円筒状の小径筒部１０１を有する筒体からなり、この筒体の一端側には、短寸大径の大径鍔部１０２が設けられている。また、小径筒部１０１の外周面には、図１０（ｂ）に示すように、周方向に１２０度離間されて外径方向に突出する３つの突状片８２が大径鍔部１０２から連設されている。さらに、小径筒部１０１の内端部側には、被摩擦力付与部材５１の円錐鍔部１００が嵌合されるテーパ状の内周面をなすテーパ孔部（図示略）が形成されている。そして、この筒体は、摩擦力付与部材５０は、被摩擦力付与部材５１よりも軟質でかつ若干弾性を有する合成樹脂材（例えばポリウレタン系のエラストマ）により一体成形されている。
【００７４】
また、この摩擦力付与部材５０は、延設部材４６の筒状体の支持凹溝８１に、突条片８３が嵌合されることにより、延設部材４６に対して相対回転不能にされている。
【００７５】
次に、本実施例に係るヘッドレスト装置４０の組み立て手順および作用について図４、図８、図９、および図１２ないし図１４に基づいて説明する。
【００７６】
まず、図４に示すように、被摩擦力付与部材５１が、支持部材４９の左右両側の取付筒状部７３にそれぞれ内方から挿入される。また、摩擦力付与部材５０が、延設部材４６の筒状体の開放部７６を介して左右両側に内方から挿入される。そして、支持部材４９の取付筒状部７３が、延設部材４６の切欠部７２に嵌め合わせられる。
【００７７】
その後、図９（ｃ）に示すように、連結ボルト８２が、延設部材４６の側方から枢着部１１１を介して取付筒状部７３に挿入されるとともに、鍔付ナット１０３に螺合させる。そして、被摩擦力付与部材５１の円錐鍔部１００の外周面と摩擦力付与部材５０のテーパ孔部の内面とが、互いに相対回転可能に摺接される。
【００７８】
これにより、連結ボルト８２を左右方向の枢軸部とする回動軸部１１２が、支持部材４９における固定部の上部に構成され、延設部材４６が、回動軸部１１２に対してヘッドレスト本体４１と供に枢軸部で回動可能になる。すなわち、図１２（ａ）に示すように、ヘッドレスト装置４０のヘッドレスト本体４１が連結ボルト８２を枢軸部として前後方向（矢印Ａ方向）に回動可能となる。
【００７９】
また、延設部材４６の幅広凹部７４と支持部材４９の突出面部７５とが互い嵌合されるとともに、切欠凹部７７と幅狭突起部とが互い嵌合された状態となるので、延設部材４６と回動軸部１１２とが互いに凹凸嵌合した状態となり、前後方向に相対回動可能になる。
【００８０】
また、ヘッドレスト本体４１が取付部４２に対して前方に所定角度傾斜されると、延設部材４６の幅広凹部７４の前端が、支持部材４９の突出面部７５の前端に当接される。その一方で、ヘッドレスト本体４１が後方に所定角度傾斜されると、幅広凹部７４の後端が、突出面部７５の後端に当接されることになる。すなわち、ヘッドレスト本体４１が取付部４２に対して回動可能な範囲は、前後方向ともに所定角度までに制限される。これにより、延設部材４６と支持部材４９の回動を規制する第１のストッパ機構が構成される。
【００８１】
さらに、ヘッドレスト本体４１が後方に所定角度傾斜された場合には、図８（ａ）および図１３に示すように、延設部材４６の切欠凹部７７が、支持部材４９の幅狭突起部７８に当接されて、延設部材４６が所定角度以上後方に傾斜されないように支持されることになる。これにより、ヘッドレスト本体４１が着座者の頭部に強く当接されるような場合でも、延設部材４６が確実に所定傾斜角度で支持される。これにより、延設部材４６と支持部材４９の回動を規制する第２のストッパ機構が構成される。
【００８２】
次いで、図４に示すように、延設部材４６が、封止部材４８の下側開口部８６に下方から挿入される。そして、封止部材４８の正面側の係止孔８８に案内ピン６３が挿入されるとともに、案内ピン６３が延設部材４６のスリット孔６２を通されて、背面側の係止孔８８に挿入される。そして、正面側および背面側の係止孔８８、８８で案内ピン６３が係止される。この案内ピン６３は、スリット孔６２内を上下方向に移動可能となっており、延設部材４６に対して封止部材４８が左右方向に支持される。
【００８３】
これにより、ヘッドレスト本体４１が上下方向に移動される際には、スリット孔６２と案内ピン６３との係合を伴いながら移動されることになり、延設部材４６とヘッドレスト本体４１とが左右方向に正確、かつ確実に支持される。
【００８４】
また、封止部材４８は、図１２（ｂ）に示すように、延設部材４６に対して上下方向（矢印Ｂ方向）に移動可能となる。そして、スリット孔６２により案内ピン６３の移動範囲が制限されるので、封止部材４８の下側開口部８６から延設部材４６が抜け出てしまうことが防止される。
【００８５】
また、案内ピン６３をスリット孔６２に挿入することのみで、封止部材４８に対する延設部材４６左右方向の位置決めがなされるので、ヘッドレスト装置４０の組み立て作業を容易にすることができる。
【００８６】
また、封止部材４８の下側開口部８６により、延設部材４６が前後方向や左右方向に移動されることが規制されて、延設部材４６が上下方向にガイドされることになるので、延設部材４６を円滑に上下移動させることができる。さらに、ヘッドレスト本体４１の下方端が、封止部材４８により封止されることになり、ヘッドレスト本体４１内への埃やゴミなどの侵入が確実に防止される。また、封止部材４８の鍔部８７により、クッション材４３を被覆する張材の末端が遮蔽されることになり、ヘッドレスト装置４０の美観が向上される。
【００８７】
次いで、図１３に示すように、左右一対のガイド部材４７Ｌ、４７Ｒが、主板４４にネジ止めされる。そして、掛止具６９、６９が、延設部材４６の左右上部の連通口６７、６７に背面側から挿入される。その後、延設部材４６が、主板４４の貫通口部５４に下方から挿入される。さらに、延設部材４６の両側部分が、左右のガイド部材４７Ｌ、４７Ｒのガイド孔８４Ｌ、８４Ｒに挿入される。
【００８８】
これにより、ガイド孔８４内で掛止具６９の掛合部７１が、ガイド部材４７の波状溝部６８の波間部分に掛合されるとともに、掛止具６９により延設部材４６が後方に付勢されガイド孔８４の内壁に当接されることになり、延設部材４６がガイド部材４７のガイド孔８４内に保持される。また、ヘッドレスト本体４１が取付部４２に対して引き上げられたり、押し下げられたりする際には、掛止具６９が前後方向に撓むことで、掛合部７１と波状溝部６８との掛合が解除されるので、延設部材４６がガイド部材４７に対して上下方向に移動自在になる。
【００８９】
よって、図１２に示すように、ヘッドレスト本体４１は取付部４２に対して上下方向（矢印Ｂ方向）に移動可能となり、着座者がヘッドレスト本体４１の高さを適宜調節できるようになる。そして、ヘッドレスト本体４１が取付部４２に対して上方に移動された場合でも、ヘッドレスト本体４１と取付部４２との間には延設部材４６の板状部分が存在するため、隙間が形成されることがない。したがって、栄えの良いヘッドレスト装置４０を備える椅子１となるばかりか、所定の幅を有するプレート状の延設部材４６でヘッドレスト本体４１が支持されることで、ヘッドレスト本体４１に発生するねじれ等を防止できることになる。また、延設部材４６が形成されている範囲において、着座者等の手指が挟まれる虞を低減することができる。
【００９０】
また、延設部材４６が掛止具６９により後方に付勢されていることで、延設部材４６がガイド孔８４内で前後方向にがたつくことがなく、着座者の頭部等がヘッドレスト本体４１に強く当接されるような場合でも、延設部材４６は、ガイド孔８４から抜け出でることなく、ガイド部材４７に保持される。
【００９１】
これにより、左右一対のガイド部材４７がプレート状の延設部材４６によって上下方向にガイドされ移動可能になる。そして、クッション部材４３を支持する主板４４に左右一対のガイド部材４７が固定され、この左右一対のガイド部材４７とプレート状の延設部材４６とが上下方向に正確、かつ確実に支持されながら相対移動されるため、ヘッドレスト本体４１に発生するねじれ等がより確実に防止される。
【００９２】
次いで、図４に示すように、封止部材４８の内嵌部１１４が、主板４４の前向部５３の貫通口部５４に下方から挿入され、鍔部８７が前向部５３の下面にネジ止めされる。そして、摺動性の良好な不織布からなるシート状部材１０４が、延設部材４６の正面側に配置される。その後、クッション部材４３が、主板４４等の正面側から押し当てられるともに、主板４４の背面側に背面カバー部材４５が押し当てられて、クッション部材４３が背面カバー部材４５に内嵌合される。
【００９３】
なお、封止部材４８の内嵌部１１４が、主板４４の貫通口部５４に挿入されることで、封止部材４８の係止孔８８係止された案内ピン６３が前後方向にずれた場合でも、案内ピン６３の端面が貫通口部５４の内周壁面に当接されて係止孔８８から抜けることが防止される。
【００９４】
そして、最後に、延設部材４６の開放部７６の連結ボルト８２をカバー部材５２の係合片９８、９８で挟持されるように、カバー部材５２が開放部７６に取り付けられて、本実施例に係るヘッドレスト装置４０の組み立てが完了される。このように、カバー部材５２が、開放部７６に取り付けられて、ヘッドレスト本体４１と取付部４２の回動部分が覆われることで、第１および第２のストッパ機構が遮蔽されるため、着座者等の手指や衣服等がストッパ機構に挟まれる危険性が軽減される。
【００９５】
次いで、図１４に示すように、支持部材４９の取付部４２が、椅子１の背凭れフレーム１８に背面側から固定される。その際には、支持部材４９の嵌合凸部９５が背凭れ１０の嵌合凹部１３に内嵌された状態で、固定ボルト１０５が挿通孔２５に挿入されて、背凭れフレーム１８の内方のナット１０６に締結される。これにより、椅子１の背凭れ１０とヘッドレスト本体４１とが、支持部材４９を用いて結合される（図１および図２参照）。
【００９６】
また、ヘッドレスト装置４０の支持部材４９の背面側の嵌合凹部９７には、嵌合凹部９７の内形と一致する形状に形成された薄い板状の装飾キャップ１０７が嵌め込まれて、凹状の溝が覆われる（図３（ｂ）参照）。なお、本実施例のヘッドレスト装置４０は、支持部材４９の背面側に、背凭れフレーム１８の嵌合凹部１３と共通する凹状の嵌合凹部９７を備えている。これにより、椅子１のオプション部材として、例えば図１４に示すようなハンガー装置１０８に、ヘッドレスト装置４０の嵌合凸部９５と共通する形状の嵌合凸部１０９や嵌合凹部１１０を形成することで、ヘッドレスト装置４０の背面側に更にオプション部材を装着することができ、着座者の利便性を高めることができる。
【００９７】
以上により、支持部材４９は、少なくともヘッドレスト本体４１の内部空間内に延びる所定の幅を有するプレート状の延設部材４６を支持しており、ヘッドレスト本体４１がプレート状の延設部材４６に対して上下方向に移動可能になっていることで、ヘッドレスト本体４１を上方向に移動させた場合でも、所定の幅を有するプレート状の延設部材４６が、ヘッドレスト本体４１と椅子１の背凭れ１０の上端部との間に介在することになり、その間の隙間が常時塞がれることになる。したがって、ヘッドレスト本体４１と椅子１の背凭れ１０の上端部との間に隙間が形成されないため、見栄えの良いヘッドレスト装置４０を備える椅子１となるばかりか、所定の幅を有するプレート状の延設部材４６でヘッドレスト本体４１を支持することで、ヘッドレスト本体４１に発生するねじれ等を防止できることになる。また、延設部材４６が形成されている範囲において、着座者等の手指が挟まれる虞を低減することができる。
【００９８】
支持部材４９が、背凭れ１０の背面に固定的に支持される取付部４２（固定部）と、該取付部４２の上側に設けられると共に背凭れ１０の上縁の上方に位置して延設部材４６を支持する回動軸部１１２（支持部）と、を有しており、支持部材４９と延設部材４６との左右幅がほぼ等しく形成されていることで、支持部材４９が、背凭れ１０の背面に固定的に支持されるとともに、取付部４２の上側でかつ背凭れ１０の上縁の上方の位置で延設部材４６を支持する構造になるので、着座者の頭部によりヘッドレスト本体４１に加えられた前上方から後下方に向けて作用する力を、背凭れ１０により確実に支持することができる。なおかつ、支持部材４９と延設部材４６との左右幅がほぼ等しく形成されることで、延設部材４６の回動軸部１１２の左右両側においては、ヘッドレスト本体４１と背凭れと１０の間に所定の空間が確保されることになるので、着座者等の手指が挟まれる虞を低減することができる。
【００９９】
また、ヘッドレスト本体４１が、着座者の頭部を支持するクッション部材４３（枕部）と、クッション部材４３を支持する主板４４と、主板４４に設けられた左右一対のガイド部材４７と、を備え、左右一対のガイド部材４７とプレート状の延設部材４６とが上下方向にガイドされ移動可能になっていることで、クッション部材４３を支持する主板４４に左右一対のガイド部材４７が固定され、この左右一対のガイド部材４７とプレート状の延設部材４６とが上下方向に正確、かつ確実に支持されながら相対移動されるため、ヘッドレスト本体４１に発生するねじれ等をより確実に防止できることになる。
【０１００】
また、クッション部材４３（枕部）を支持する主板４４や左右一対のガイド部材４７が内装されるヘッドレスト本体４１の下方端には、プレート状の延設部材４６により上下方向にガイドされる開口を有する封止部材４８が固定されていることで、ヘッドレスト本体４１とプレート状の延設部材４６との前後方向の移動を確実に規制できるばかりか、ヘッドレスト本体４１内への埃やゴミなどの侵入を確実に防止できることになる。さらに、封止部材４８により、クッション材４３を被覆する張材の末端等を遮蔽することができるので、ヘッドレスト本体４１の美観を向上できる。
【０１０１】
また、プレート状の延設部材４６にはスリット孔６２（上下方向に延びる所定長の溝または穴）が形成され、封止部材４８にはスリット孔６２内に延びる案内ピン６３が設けられていることで、スリット孔６２と案内ピン６３との係合を伴いながら、プレート状の延設部材４６とヘッドレスト本体４１とが左右方向に正確、かつ確実に支持されながら上下方向に相対移動されることになる。
【０１０２】
また、プレート状の延設部材４６の上下方向の長さは、少なくとも主板４４の上下長よりも短く形成され、ヘッドレスト本体４１の上部位置にプレート状の延設部材４６の存在しない変形許容空間を配置できるようになっていることで、着座者の頭部を弾性的に支持するヘッドレスト本体４１の上部位置に、プレート状の延設部材４６を位置させない変形許容空間を確保できることとなり、この空間を利用して、着座者の頭部を適切に保護できることになる。
【０１０３】
以上、本発明の実施例を図面により説明してきたが、具体的な構成はこれら実施例に限られるものではなく、本発明の要旨を逸脱しない範囲における変更や追加があっても本発明に含まれる。
【０１０４】
例えば、前記実施例では、左右一対のガイド部材４７Ｌ、４７Ｒと主板４４とをそれぞれ別部材により構成しているが、例えば、主板の左右側部に左右一対のガイド孔を形成することで、ガイド部材と主板とを一部材として構成してもよい。
【０１０５】
また、前記実施例では、ガイド部材４７を２部材としてガイド部材４７Ｌ、４７Ｒにより構成して、ガイド部材４７Ｌ、４７Ｒにガイド孔８４Ｌ、８４Ｒを設けているが、例えば、左右方向に横長の板状体をガイド部材とするとともに、板状体の左右端部を前方側に折り返えして、折返部分に生じる隙間をガイド孔とするようにしてもよい。すなわち、ガイド部材を一部材で構成してもよく、ガイド孔を上下方向に無端状に形成してもよい。
【０１０６】
また、前記実施例では、延設部材４６を一枚の板材を主に形成して左右側部をガイド部材４７に保持させているが、支持部材を複数個の部材、例えば、左右のガイド部材に保持される２片の保持部材と、保持部材同士の間に架設される架設部材とに分けるとともに、架設部材を薄いシート状に形成したり、前後方向に変形しやすい弾性材で形成したりしてもよい。
【符号の説明】
【０１０７】
１                椅子
１０              背凭れ
１８              背凭れフレーム
４０              ヘッドレスト装置
４１              ヘッドレスト本体
４２              取付部（固定部）
４３              クッション部材（枕部）
４４              主板
４５              背面カバー部材
４６              延設部材
４７              ガイド部材
４８              封止部材
４９              支持部材
５０              摩擦力付与部材
５１              被摩擦力付与部材
５２              カバー部材
６２              スリット孔（上下方向に延びる所定長の穴）
６３              案内ピン
７４              幅広凹部
７５              突出面部
７７              切欠凹部
７８              幅狭突起部
９５              嵌合凸部
１１１            軸着部
１１２            回動軸部（支持部）
１１４            内嵌部
【図１】
2014090865.tif 000003
【図２】
2014090865.tif 000004
【図３】
2014090865.tif 000005
【図４】
2014090865.tif 000006
【図５】
2014090865.tif 000007
【図６】
2014090865.tif 000008
【図７】
2014090865.tif 000009
【図８】
2014090865.tif 000010
【図９】
2014090865.tif 000011
【図１０】
2014090865.tif 000012
【図１１】
2014090865.tif 000013
【図１２】
2014090865.tif 000014
【図１３】
2014090865.tif 000015
【図１４】
2014090865.tif 000016